(57)【要約】【課題】  背負いベルトと使用者の肩とがフィットし、使用者の背中がランドセル本体の背当て部にフィットすることができるランドセル背負いベルトの取付構造および取付金具の提供。【解決手段】  金具本体２に、一対のベルト取付体５の脚部16を揺動自在に収納すると共に、その立ち上げ支持部４および長孔３がランドセル本体１から離反するように段付きに離反する離反手段18を構成し、そのベルト取付体５の長孔３の上縁に上方に立ち上げ支持部４を一体に延在させる。そして背負いベルト６の一端部をベルト取付体５の長孔３に挿通させると共に、立ち上げ支持部４の両面を挟持するようにそのベルト折返し部６ａを立ち上げ支持部４に固定する。【選択図】        図２
0003106718.tif 000002
【実用新案登録請求の範囲】
【請求項１】
ランドセル本体(1) の背面上端の中央部に固定された金具本体(2) と、
その金具本体(2) に、その幅方向に揺動自在に脚部(16)が収納されて、その上部が上方へ突出され、ランドセル本体(1) の幅方向に細長い長孔(3) が開口され、その長孔(3) の上縁に上方に立ち上げ支持部(4) が一体に延在する一対のベルト取付体(5) と、
その立ち上げ支持部(4) および長孔(3) がランドセル本体(1) から離反するように段付きに離反する離反手段(18)とを具備し、
背負いベルト(6) の一端部が、ベルト取付体(5) の長孔(3) に挿入されると共に、前記立ち上げ支持部(4) の両面を挟持するように折返され、そのベルト折返し部(6a)が前記立ち上げ支持部(4) に固定されたランドセル背負いベルトの取付構造。
【請求項２】
請求項１において、
前記立ち上げ支持部(4) に一以上の小孔(7) が穿設され、その小孔(7) に挿通された締結部品(8) により前記ベルト折返し部(6a)が立ち上げ支持部(4) に固定されたランドセル背負いベルトの取付構造。
【請求項３】
請求項１または請求項２において、
前記立ち上げ支持部(4) は、長孔(3) の孔縁に沿って、同一幅に延在するランドセル背負いベルトの取付構造。
【請求項４】
請求項１または請求項２において、
前記立ち上げ支持部(4) は、長孔(3) の長手方向の中央位置から上方に細長く立ち上げられたランドセル背負いベルトの取付構造。
【請求項５】
ランドセル背負いベルトの取付金具において、
ランドセル本体(1) の背面上端の中央部に固定される金具本体(2) と、
その金具本体(2) に、その幅方向に揺動自在に脚部(16)が収納されて、その上部が上方へ突出され、ランドセル本体(1) の幅方向に細長い長孔(3) が開口され、その長孔(3) の上縁に上方に立ち上げ支持部(4) が一体に延在する一対のベルト取付体(5) と、
その立ち上げ支持部(4) および長孔(3) がランドセル本体(1) から離反するように段付きに離反する離反手段(18)と、
を具備することを特徴とするランドセル背負いベルトの取付金具。
【請求項６】
請求項５において、
前記立ち上げ支持部(4) に一以上の小孔(7) が穿設され、その小孔(7) に挿通される締結部品(8) によりベルト折返し部(6a)が立ち上げ支持部(4) に固定されるランドセル背負いベルトの取付金具。
【請求項７】
請求項５または請求項６において、
前記立ち上げ支持部(4) は、長孔(3) の孔縁に沿って、同一幅に延在するランドセル背負いベルトの取付金具。
【請求項８】
請求項５または請求項６において、
前記立ち上げ支持部(4) は、長孔(3) の長手方向の中央位置から上方に細長く立ち上げられたランドセル背負いベルトの取付金具。
【考案の詳細な説明】
【技術分野】
【０００１】
本考案は、ランドセル本体への背負いベルトの取付構造およびその取付金具に関する。
【背景技術】
【０００２】
従来のランドセル背負いベルトの取付構造および取付金具は、下記特許文献１その他に記載されている。これは、ランドセル本体の背面上端の中央部に金具本体が取付けられ、その金具本体に吊り環が回動自在に取付けられている。そしてこの吊り環に背負いベルトの上端が挿入され、締結具によって固定されている。
【０００３】
【特許文献１】特開2003-000321 号公報
【特許文献２】特開2002-325617 号公報
【特許文献３】特開2003-204816 号公報
【考案の開示】
【考案が解決しようとする課題】
【０００４】
従来のランドセルは、使用中にランドセルの背当て部と使用者の背中が離れ易く、ランドセルが背負い難くなると共に、それが重く感じる欠点を有していた。
そこで本考案は、このような従来の欠点を解決することを課題とする。
【課題を解決するための手段】
【０００５】
請求項１に記載の本考案は、ランドセル本体(1) の背面上端の中央部に固定された金具本体(2) と、
その金具本体(2) に、その幅方向に揺動自在に下部が収納されて、その上部が上方へ突出され、ランドセル本体(1) の幅方向に細長い長孔(3) が開口され、その長孔(3) の上縁に上方に立ち上げ支持部(4) が一体に延在する一対のベルト取付体(5) と、
その立ち上げ支持部(4) および長孔(3) がランドセル本体(1) から離反するように段付きに離反する離反手段(18)とを具備し、
背負いベルト(6) の一端部が、ベルト取付体(5) の長孔(3) に挿入されると共に、前記立ち上げ支持部(4) の両面を挟持するように折返され、そのベルト折返し部(6a)が前記立ち上げ支持部(4) に固定されたランドセル背負いベルトの取付構造である。
【０００６】
請求項２に記載の本考案は、請求項１において、
前記立ち上げ支持部(4) に一以上の小孔(7) が穿設され、その小孔(7) に挿通された締結部品(8) により前記ベルト折返し部(6a)が立ち上げ支持部(4) に固定されたランドセル背負いベルトの取付構造である。
請求項３に記載の本考案は、請求項１または請求項２において、
前記立ち上げ支持部(4) は、長孔(3) の孔縁に沿って、同一幅に延在するランドセル背負いベルトの取付構造である。
請求項４に記載の本考案は、請求項１または請求項２において、
前記立ち上げ支持部(4) は、長孔(3) の長手方向の中央位置から上方に細長く立ち上げられたランドセル背負いベルトの取付構造である。
【０００７】
請求項５に記載の本考案は、ランドセル背負いベルトの取付金具において、
ランドセル本体(1) の背面上端の中央部に固定される金具本体(2) と、
その金具本体(2) に、その幅方向に揺動自在に下部が収納されて、その上部が上方へ突出され、ランドセル本体(1) の幅方向に細長い長孔(3) が開口され、その長孔(3) の上縁に上方に立ち上げ支持部(4) が一体に延在する一対のベルト取付体(5) と、
その立ち上げ支持部(4) および長孔(3) がランドセル本体(1) から離反するように段付きに離反する離反手段(18)と、
を具備することを特徴とするランドセル背負いベルトの取付金具である。
【０００８】
請求項６に記載の本考案は、請求項５において、
前記立ち上げ支持部(4) に一以上の小孔(7) が穿設され、その小孔(7) に挿通された締結部品(8) によりベルト折返し部(6a)が立ち上げ支持部(4) に固定されるランドセル背負いベルトの取付金具である。
請求項７に記載の本考案は、請求項５または請求項６において、
前記立ち上げ支持部(4) は、長孔(3) の孔縁に沿って、同一幅に延在するランドセル背負いベルトの取付金具である。
請求項８に記載の本考案は、請求項５または請求項６において、
前記立ち上げ支持部(4) は、長孔(3) の長手方向の中央位置から上方に細長く立ち上げられたランドセル背負いベルトの取付金具である。
【考案の効果】
【０００９】
本考案のランドセル背負いベルトの取付構造は、金具本体２の上縁に突出されたベルト取付体５に長孔３を有し、その長孔３の上縁に上方に立ち上げ支持部４が一体に延在する。そしてその長孔３に挿入された背負いベルト６のベルト折返し部６ａが立ち上げ支持部４の両面を挟持するようにして立ち上げ支持部４に固定されているから、背負いベルト６の上端部が上方に持ち上がり、使用者が背負いベルト６を肩に掛けたとき、ランドセルの背当て部が使用者の背中に密着する。
しかも、離反手段18により立ち上げ支持部４および長孔３がランドセル本体１から離反するように段付きに形成されているから、背負いベルト６の上端の取付部がランドセル本体１に接触することがなく、ベルト取付体５を幅方向に円滑に移動させて、使用者の肩にフィットさせることができる。そして、使用感が良くランドセルの重量を軽く感じさせることができる。
【００１０】
上記構成において、立ち上げ支持部４に一以上の小孔７を穿設し、その小孔７に挿通された締結部品８によりベルト折返し部６ａが立ち上げ支持部４に固定されたものにおいては、ベルト折返し部６ａと立ち上げ支持部４とをより緊密に一体化し、背負いベルト６の上端部を上方に案内してフィット感の良いランドセルを提供できる。
【００１１】
上記いずれかの構成において、立ち上げ支持部４を長孔３の孔縁に沿って同一幅に延在した場合には、その立ち上げ支持部４の強度を強くし、ベルト取付部が丈夫で寿命の長いランドセルとなり得る。
上記いずれかの構成において、立ち上げ支持部４を長孔３の長手方向中央位置から上方に細長く立ち上げた場合には、ベルト折返し部６ａの上方への立ち上げ効果が大きくなり、よりフィット感のあるランドセルを提供できる。
【００１２】
本考案のランドセル背負いベルトの取付金具は、その金具本体２の上縁にベルト取付体５が突出され、そのベルト取付体５に長孔３およびその上縁の上方に立ち上げ支持部４が一体に延在されているから、その長孔３に挿通されて固定される背負いベルト６の上端部は上方に立ち上げられることになり、それによってランドセルの背当て部が使用者の背中に密着して、使用感が良いものとなる。
しかも、離反手段18により立ち上げ支持部４および長孔３がランドセル本体１から離反するように段付きに形成されているから、背負いベルト６の上端の取付部がランドセル本体１に接触することがなく、ベルト取付体５を幅方向に円滑に移動させて、使用者の肩にフィットさせることができる。
【００１３】
請求項６に記載の金具によれば、ベルト折返し部６ａが締結部品８により立ち上げ支持部４に密着され、簡単な構造で且つ背負いベルト６の上端部を上方へ立ち上げる効果の高いものとなる。
請求項７に記載の金具によれば、立ち上げ支持部４が長孔３の孔縁に沿って同一幅に延在するため、丈夫で寿命の長い取付金具となり得る。
請求項８に記載の金具によれば、立ち上げ支持部４が長孔３の長手方向中央位置から上方に細長く立ち上げられているため、ベルト折返し部６ａの上方への立ち上げ効果が高いものとなる。
【考案を実施するための最良の形態】
【００１４】
次に、図面に基づいて本考案の実施の形態につき説明する。
図１は本考案のランドセル背負いベルトの取付構造およびその取付金具の要部を示す正面図であり、その（Ａ）は背負いベルト６を取付金具９に取付けた状態を示し、（Ｂ）はベルト取付体５と金具本体２との取付説明図である。また、図２はその取付金具９に背負いベルト６を取付けた状態の側面略図であり、図３は同取付金具９の斜視図，図４は同取付金具９の使用状態を示す斜視図である。
【００１５】
この取付金具９は図１および図３に示す如く、金具本体２と一対のベルト取付体５とを有する。金具本体２は、周縁が立ち上げられた一対の扇形のプレートの組立体からなる。この金具本体２には、一対のベルト取付体５の脚部16がピン12を介して幅方向に回動自在に枢着されると共に、図１（Ｂ）の如く、金具本体２の係止孔11にスプリング10の一端が係止されて、ベルト取付体５を金具本体２の中心側に付勢する。
【００１６】
そして、ベルト取付体５の脚部16と立ち上げ支持部４との中間には段部よりなる離反手段18が形成され、それにより立ち上げ支持部４をランドセル本体１の背当てから少し離反させ、背負いベルト６の取扱い性を向上させている。即ち、背負いベルト６の上端の取付部がランドセル本体１に接触することがなく、ベルト取付体５を幅方向に円滑に移動させて、使用者の肩にフィットさせることができるものである。
この金具本体２の上端縁には孔13が形成され、図４の如く、締結部品８，座金14，皮材15を介してランドセルの背面の上端部中央にそれが固定される。
【００１７】
次に、ベルト取付体５は金具本体２の上端に形成された開口からその上端部が突出している。その上端部は、略三角形状に形成された部分に長孔３が穿設されている。この長孔３の長手方向がランドセル本体１の幅方向に所定角度傾斜して配置されている。また、長孔３の孔縁部中央から上方に立ち上げ支持部４が一体に突設形成されている。この立ち上げ支持部４には、図１（Ｂ）の如く、夫々小孔７が穿設されている。そして背負いベルト６の上端部がベルト取付体５の長孔３に挿入されると共に、その立ち上げ支持部４の両面を挟持するように折り返され、そのベルト折返し部６ａが小孔７を貫通する締結部品８によって固定される。この例では、締結部品８はその一端が締結固定されるハトメからなる（図２参照）。
【００１８】
このように構成することより、剛性のある金属板からなるベルト取付体５の立ち上げ支持部４によって、背負いベルト６の一端部は上方に立ち上げられ、それに続いた背負いベルト６の上部は滑らかな湾曲部分を形成する。
【００１９】
このような取付金具９を図４の如く、ランドセル本体１の上端部中央に取付けることにより、一対の背負いベルト６はその一端部が一旦上方に湾曲し下方に戻されて、その下端部が図示しない金具に着脱自在に係止される。それにより、背負いベルト６の上端湾曲部が使用者の肩にフィットし、その結果、ランドセル本体１の背当て部が使用者の背中に接触する。それにより使用者はフイット感を得ると共に、ランドセルの重量が肩および背中に分散されて軽く感じることができる。
【００２０】
次に、図５は本考案の取付金具９のベルト取付体５の他の例を夫々示し、その断面は図２のそれと同様に離反手段18を有し、立ち上げ支持部４および長孔３がランドセル本体１から離反するように段付きに離反している。
図５の（Ａ）は立ち上げ支持部４が長孔３の上縁に沿って幅広に突出しているものである。そしてそこに一対の小孔７が穿設される。この小孔７には締結部品８が挿通され、そこに背負いベルト６のベルト折返し部６ａが固定される。他は、図１，図３のそれと同一である。
【００２１】
図５（Ｂ）はさらに他のベルト取付体５の正面図であり、この例は、長孔３が略長方形に開口されたものである。他は、図５（Ａ）と同一である。
図５（Ｃ）はさらに他のベルト取付体５の例であり、前記図５（Ｂ）においてその長孔３の幅方向中央位置に立ち上げ支持部４が上方へ突出されたものである。
【図面の簡単な説明】
【００２２】
【図１】本考案のランドセル背負いベルトの取付構造およびその取付金具の要部正面図。
【図２】同背負いベルト６を取付けた状態を示す側面略図。
【図３】同取付金具９の斜視図。
【図４】同取付金具９の使用状態を示す要部斜視図。
【図５】同取付金具９のベルト取付体５の各例を示す正面図。
【符号の説明】
【００２３】
１  ランドセル本体
２  金具本体
３  長孔
４  立ち上げ支持部
５  ベルト取付体
６  背負いベルト
６ａ  ベルト折返し部
７  小孔
８  締結部品
９  取付金具
10  スプリング
【００２４】
11  係止孔
12  ピン
13  孔
14  座金
15  皮材
16  脚部
17  ピン孔
18  離反手段
【図１】
0003106718.tif 000003
【図２】
0003106718.tif 000004
【図３】
0003106718.tif 000005
【図４】
0003106718.tif 000006
【図５】
0003106718.tif 000007